(57)【要約】  本発明は、大量の物質が放出される際に、投下される大量の物質を封入するために、スプリットバージに関連して配置されるシートに関し、このシートは物質含有部分と、物質含有部分の少なくとも２つの対向側から延びる少なくとも１つの物質の無い部分と、を備え、浸漬されたシートは、大量の物質を封入するとともに、その両方が集合ポイントから延びる、物質含有部分によって封入された封入本体と、前記物質の無い部分（３）の少なくとも一部である自動閉止部分（２２）と、を備え、前記自動閉止部分（２２）の閉止長さは、前記封入本体の迂回長さの少なくとも５％に対応し、この迂回長さは、集合ポイントから集合ポイントへ延びる。本発明はさらに、大量の物質をシートによって封入する方法に関する。
2018522777.tif 000002
【特許請求の範囲】
【請求項１】
スプリットバージ（１００）に関連して配置可能な、大量の物質（１０１）が放出されるときに投下される前記大量の物質（１０１）を封入するように構成されたシート（１）であって、
該シート（１）は、物質含有部分（４）と、該物質含有部分（４）の少なくとも２つの対向する側部から延びる少なくとも１つの物質の無い部分（３）と、を備え、
浸漬された前記シート（１）は、前記大量の物質を封入するとともに、その両方が集合ポイント（２１）から延びる前記物質含有部分（４）によって封入された封入本体（２０）及び前記物質の無い部分（３）の少なくとも一部である自動閉止部分（２２）を備え、
前記自動閉止部分（２２）の閉止長さは、前記封入本体（２０）の迂回長さの少なくとも５％に対応し、前記迂回長さは、前記集合ポイント（２１）から前記集合ポイント（２１）へ延びることを特徴とする、シート（１）。
【請求項２】
前記シート（１）は、少なくとも１つの機械的シール及び／又は少なくとも１つの化学的シールを備えることを特徴とする請求項１に記載のシート。
【請求項３】
前記少なくとも１つの機械的シールは、表面ファスナ（１１）又はマッシュルームファスナ（１２）を備えることを特徴とする請求項１又は２に記載のシート。
【請求項４】
前記少なくとも１つの化学的シールは接着剤を備えることを特徴とする請求項２又は３に記載のシート。
【請求項５】
前記シート（１）は、前記シート（１）を前記スプリットバージ（１００）に取り付けるための少なくとも１つの取り付け要素（５）をさらに備え、前記取り付け要素（５）は、沈降するシート（１）が前記大量の物質（１０１）を封入する際に解除するように構成されていることを特徴とする請求項１〜４のいずれか一項に記載のシート。
【請求項６】
前記取り付け要素（５）は、ストラップ及びスナップオフ要素を備えることを特徴とする請求項５に記載のシート。
【請求項７】
前記スナップオフ要素は、壊れるように構成された、ストラップに沿う弱連結を備えることを特徴とする請求項６に記載のシート。
【請求項８】
前記スナップオフ要素はスナップオフボタンを備えることを特徴とする請求項６に記載のシート。
【請求項９】
前記取り付け要素（５）及び／又は機械的シールは、磁石を備えることを特徴とする請求項２〜５のいずれか一項に記載のシート。
【請求項１０】
前記シート（１）は、分解性材料から成ることを特徴とする請求項１〜９のいずれか一項に記載のシート。
【請求項１１】
前記シート（１）は、永続的な材料から成ることを特徴とする請求項１〜１０のいずれか一項に記載のシート。
【請求項１２】
前記シート（１）の前記自動閉止部分（２２）は、残りのシートとは異なる材料から成ることを特徴とする請求項１〜１１のいずれか一項に記載のシート。
【請求項１３】
前記シート（１）は、該シート（１）が前記大量の物質（１０１）に接触するために構成された内側シート（１ｂ）を構成するように、前記スプリットバージ（１００）に取り付けられるように構成された外側シート（１ａ）を備えることを特徴とする請求項１〜１２のいずれか一項に記載のシート。
【請求項１４】
請求項１〜１２のいずれか一項に記載のシート（１）によって大量の物質（１０１）を封入する方法であって、
‐前記スプリットバージ（１００）の中又は下に前記シート（１）を配置するステップと、
‐前記大量の物質（１０１）で前記シート（１）又は前記スプリットバージ（１００）を充填するステップと、
‐前記スプリットバージ（１００）を開放するステップであって、それによって前記大量の物質（１０１）の重量が、前記シート（１）を海底に向かって沈降させ始める、ステップと、
を備え、
前記方法は、前記大量の物質（１０１）を封入するステップと、引き続いて、沈降する前記シート（１）の周りに生じた水圧によって前記シート（１）を集合ポイント（２１）に導くステップ及び前記自動閉止部分（２２）の自動閉止を係合するステップを備えることを特徴とする、方法。
【請求項１５】
前記シート（１）は機械的及び／又は化学的シールを備え、
前記方法は、前記自動閉止部分（２２）の自動閉止に係合するステップと同時に、前記機械的及び／又は化学的シールを係合させるステップをさらに備えることを特徴とする請求項１４に記載の方法。
【請求項１６】
前記シート（１）は、前記シート（１）が内側シート（１ｂ）を構成するように前記外側シート（１ａ）を備え、
前記方法は、前記外側シート（１ａ）を前記スプリットバージ（１００）へ回収するステップをさらに備えることを特徴とする請求項１４又は１５に記載の方法。
【請求項１７】
請求項２〜１２のいずれか一項に記載のシート（１）によって、大量の物質を封入する方法であって、
‐前記スプリットバージ（１００）の中に前記シート（１）を配置するステップと、
‐前記大量の物質（１０１）で前記シート（１）を充填するステップと、
‐前記大量の物質（１０１）を封入するステップと、
‐前記機械的及び／又は化学的シールを係合させるステップと、
‐前記スプリットバージ（１００）開放して、海底に向かって沈降する前記封入された前記大量の物質（１０１）を放出するステップと、
を備える方法。
【請求項１８】
前記シート（１）は、前記シート（１）が前記内側シート（１ｂ）を構成するように前記外側シートを備え、
前記方法が、前記スプリットバージ（１００）上に前記外側シート（１ａ）を引き込むステップをさらに備えることを特徴とする請求項１７に記載の方法。
【発明の詳細な説明】
【技術分野】
【０００１】
本発明は、大量の物質が放出される際に、投下される大量の物質を封入するために、スプリットバージに関連して配置されるシートに関し、このシートは物質含有部分と、物質含有部分の少なくとも２つの対向側から延びる物質の無い部分と、を備える。本発明はさらに、大量の物質をシートによって封入する方法に関する。
【背景技術】
【０００２】
浚渫‐川及び海のような水域の下からの土、砂、粘土、スリット及び／又は岩のような物質の掘削‐は、海上建設プロジェクトを可能にするとともに、世界の砂の消費の大部分を供給する大きな地球規模産業である。
【０００３】
この産業は、それが建設、海岸への供給、又は埋め立て目的で毎年掘る９０億立方メートルの物質の大部分を再使用する。しかし、すべての物質が好適であるわけではない。毎年浚渫される体積の大体２２〜２５％は、浚渫廃物及び、その小さな粒子サイズが実際の使用には使用できないので廃棄を必要とする微細沈殿物を備える。したがって微細沈殿物は、代わりに海洋に投下され、投下された沈殿物は水柱中に半年にまで亘って残る場合があり、そこで小さな生物を殺す場合があるとともに、脱酸素を引き起こす場合もあるので、水界生態系を乱し、長期的に不利な影響を残す場合が多い。
【０００４】
海洋投棄の潜在的な危険性の故に、浚渫産業は環境費用の上昇と、掘削現場に近い適切な投下場所を見つけることの困難さの増加と、の両方によって、増加する高い投下コストに直面しており、投下による沈殿物（沈殿物）の汚染を最小化するための取り組みが行われてきた。したがって、新たな取り組みが投下によって引き起こされる沈殿物による汚染を最小化する方向へ行われてきた。特許文献１は、投下される際の物質の分散をある程度防止する、大量の物質を含むジオテキスタイル絶縁バッグを有する、例えばホッパー船を開示している。しかし、ジオテキスタイルバッグは物質を封入しないので、いくらかの沈殿物の汚染が依然として行われる場合がある。
【０００５】
別様に、引用文献２は、選択された場所に堆積用バルクを形成するために閉止可能な充填開口部を介して緩く又は容易に粘着性の物質を受け入れるための、織物からなる既知の可撓性容器の例を開示している。これら可撓性容器をシールするための既知の操作の不利点は、かなり時間がかかるということである。
【０００６】
一方で、浚渫会社を雇用するデベロッパやコントラクタは、特定の地域におけるこれらリソースの需要及び減少によって岩石、砂利、砂のような原材料の価格が上昇しているので、高い原材料費に直面している。同時に、浚渫会社は２０億立方メートルを超える沈殿物を毎年、多くは建設現場の近くに投下している。
【先行技術文献】
【特許文献】
【０００７】
【特許文献１】国際公開第１０／１１６０１３号
【特許文献２】国際公開第９／７２９２４７号
【発明の概要】
【発明が解決しようとする課題】
【０００８】
したがって、投下された沈殿物が水柱全体に容易かつ費用効果的に広がるのを防ぎ、それによって既に負担がかかっている地球規模の海洋環境への重圧を軽減することが望ましい。さらに、バラバラの市場、すなわち浚渫の廃棄及び建設リソースをつなげることによって浚渫される物質の利用を増加させる方法を提供することが望ましい。
【課題を解決するための手段】
【０００９】
ここに開示されるのは、スプリットバージに関連して配置可能な、大量の物質が放出されるときに投下される大量の物質を封入するように構成されたシートであり、このシートは、物質含有部分と、該物質含有部分の少なくとも２つの対向する側部から延びる少なくとも１つの物質の無い部分と、を備え、浸漬されるシートは、大量の物質を封入するとともに、その両方が集合ポイント（ａｓｓｅｍｂｌｙ  ｐｏｉｎｔ）から延びる、物質含有部分によって封入された封入本体及び物質の無い部分の少なくとも一部である自動閉止部分を備え、自動閉止部分の閉止長さは、封入本体の迂回長さ（ｃｉｒｃｕｍｖｅｎｔｉｎｇ  ｌｅｎｇｔｈ）の少なくとも５％に対応し、この迂回長さは、集合ポイントから集合ポイントへ延びる。
【００１０】
シートは、このシートが大量の物質を封入する前にスプリットバージから放出されるように構成することができ、それによって、シートは、浸漬される際に、物質含有部分と自動閉止部分とによって封入された封入本体を備え、自動閉止部分は、物質の無い部分の少なくとも一部とすることができる。
【００１１】
迂回長さは、シートが封入されようとする本体を迂回する際に、集合ポイントから集合ポイントへのシートの長さとして定義することができる。
【００１２】
自動閉止部分は、集合ポイントからシートの自由端に向かって延びる閉止長さの一部と少なくともすることができる。シートの自由端は、物質の無い部分の自由端とすることができる。
【００１３】
自動閉止部分の閉止長さは封入本体の迂回長さの５％、すなわち１／２０〜２倍、より好ましくは、閉止長さは封入本体の迂回長さの１／４〜１．５倍とすることができる。
【００１４】
シートはこれによって、シートが大量の物質を封入する前に、及び／又はシートを予備閉止及び／又は予備シールせずに、スプリットバージから放出されるように構成することができる。このことは、シートがスプリットバージに配置された後のシートの取り扱いの必要性を排除する。
【００１５】
シートの物質含有部分は、物質含有部分がスプリットバージの内側表面又は外側表面を接合する、すなわち物質含有部分の外側表面が、物質含有部分がスプリットバージの内側表面を接合するように配置することができるか、又は物質含有部分の内側表面が、物質含有部分がスプリットバージの外側表面を接合するように配置することができる。
【００１６】
物質含有部分及びシートの全体が、スプリットバージの底部のセンターラインに沿って配置されるように構成されたセンターラインを備えることができる。スプリットバージのセンターラインは、スプリットバージの両側、すなわち左舷及び右舷に平行とすることができ、２つの側部の間の真ん中に配置することができる。物質含有部分及びシート全体のセンターラインは、物質含有部分及びシートを２つの対向する側部に分割することができる。シートは、これもまたシートを２つの対向する部分に分割する、上述に定義されたセンターラインに垂直な別のセンターラインをさらに有することができる。
【００１７】
物質含有部分は、シートがスプリットバージの中又は上に配置されるようにされた後に寸法決めすることができる。物質含有部分はさらにスプリットバージの中にフィットするようにバッグ又はその種のものに形成することができ、しーとはその中又は上に配置することができる。
【００１８】
一実施形態では、物質のない部分は、物質含有部分の少なくとも２つの対向する側部から延在する少なくとも２つの物質の無い部分を備えることができ、一方で対向する側部のそれぞれはシートのセンターラインの一方から延在する。２つの物質の無い部分は、側部、すなわちスプリットバージの左舷及び右舷に沿って配置された物質含有部分の両側から延在することができる。物質含有部分の両側のそれぞれ上の物質の無い部分は、物質含有部分からほぼ同じ長さを有して延在するか、又は延在するように配置することができる。物質含有部分の両側のそれぞれ上の物質の無い部分は、物質含有部分から異なる長さで延在するか、又は延在するように配置することができる。
【００１９】
代替的に、少なくとも１つの物質の無い部分は、物質含有部分のエッジの全周縁から延びる１つの物質の無い部分を備えることができ、物質の無い部分の少なくとも２つの対向する側部は、物質含有部分からほぼ同じ長さで延在するか、又は延在するように配置することができる。
【００２０】
物質の無い部分は、物質含有部分の全側部に沿って、及び／又は物質含有部分の側部の一部に沿って、延在することができる。物質の無い部分は、物質含有部分のエッジ部分又は物質含有部分に取り付けられた付加的エッジ部分とすることができる。
【００２１】
大量の物質はスプリットバージから放出され、大量の物質の重量がシートを海底に向かって沈降させ始めるとき、シートは、シートの物質含有部分が大量の物質の周りに封入本体及び尾部を形成する、すなわち物質含有部分の少なくとも両側から延びる、隣接する物質の無い部分を備えさせられるという意味で、自動閉止シートであるということができる。これは、シートを閉止する及び又はシートをシールするための他のいかなる手段を採用することなく、沈降するシートの周りに生じる水圧によって達成することができる。封入本体と自動閉止部分との間の集合ポイントは同様に、大量の物質を封入するシートの沈降中に形成することができる。
【００２２】
封入本体の迂回長さは、集合ポイントにおいてシートの一方の側部がシートの反対側の側部に接触するところからの長さとして定義することができる。
【００２３】
自動閉止部分は、１つ以上の物質の無い部分又は１つ以上の物質の無い部分の一部を少なくとも備えることができる。自動閉止部分は、集合ポイントから水面に向かって延びることができる。
【００２４】
大量の物質を包み込むことの利点は、水面と海底又は湖、川又はその種のものの底との間の水柱の中の物質の広がりが、物質を投下する際に防止されることである。
【００２５】
自動閉止の原理は、沈降するシートの周りに引き起こされる圧力場がシートの物質の無い部分を接合させることによって可能となる。これは、圧力場がシート内から水を吸いだすので、それによってほとんど瞬間的にシートの物質の無い部分を互いに向かって推し進める。封入本体が海底に達した際に、シートが閉止された状態を維持するか、部分的に開放した状態又は完全に開放した状態になることができ、この場合に、沈殿物は海底に亘って広がることが可能となる。
【００２６】
投下される物質は、土、砂、粘土、スリット、岩、又は他の地盤材料などの、実質的には固い物質、懸濁可能な物質、及び／又は粘性物質であってもよい。
【００２７】
スプリットバージは、ハル（ｈｕｌｌ）を２つに割るか、又はバージ、船、容器、又はその種のものに配置された１つ以上のゲート又はフラップのような底部を開放することによって大量の物質を投下するように構成されたバージ、船、又は容器を意味する。
【００２８】
スプリットバージは、１つ以上の部屋を備えることができ、それぞれの部屋はシートを保持するように構成される。
【００２９】
シートがスプリットバージに配置された際、及びスプリットバージに物質を充填する間、シートの物質の無い部分を支持するために、支持要素をスプリットバージに配置することができる。支持要素は、スプリットバージのエッジに沿って配置された１つ以上のラックとすることができる。支持要素は、シートの物質の無い部分をスプリットバージの外側表面又は内側表面上に保持するように構成することができる。
【００３０】
１つ以上の実施形態では、シートは機械的及び／又は化学的シールをさらに備える。
機械的及び／又は化学的シールは、シートを自動閉止するのと同時にシートを自動シールするためにシートに付加することができる。
【００３１】
機械的及び／又は化学的シールは、沈殿物が海底に亘って広がることができる時を制御することを可能にするためにシートに付加することができる。代替的に、機械的及び／又は化学的シールは、封入された物質が一時的な建築用ブロックとして使用される場合に、シートに付加することができる。シートは、略二次の建築用ブロック、及び略長方形の建築用ブロックの両方を含む形状に好適とすることができる。建築用ブロックは、浚渫現場に近接した再築堤のための建設現場に有利に投下することができる。
【００３２】
機械的及び／又は化学的シールは、少なくともシートの自動閉止部分において、少なくともシートの内側表面に配置することができる。実際には、これは大量の物質を封入するシートの沈降中に接触する自動閉止部分の内側表面である。
【００３３】
代替的に、機械的及び／又は化学的シールは、両方がシートの内側表面及び外側表面に取り付けられてもよい。機械的及び／又は化学的シールは、シートの両側の一方又は両方においてシートの外側表面に取り付けられてもよい。このことは、大量の物質がシートによって封入され得、スプリットバージからの大量の物質を封入するシートを放出する前にシールされるのを可能にする。
【００３４】
したがって、機械的及び／又は化学的シールは、スプリットバージを開放する前又は後のいずれかで係合させるように構成することができる。
【００３５】
一つ以上の実施形態では、機械的シールは面ファスナ又はマッシュルームファスナを備える。面ファスナは、Ｖｅｌｃｒｏ（登録商標）として知られている。マッシュルームファスナは、例えばＰｒｅｓｓｏｔｅｘ（登録商標）として知られているマッシュルームファスナとすることができる。面ファスナ又はマッシュルームファスナは、シートの自動閉止部分の内側表面に少なくとも取り付けることができる。面ファスナ又はマッシュルームファスナは、シートの両側の一方又は両方において、シートの外側表面に追加的に取り付けることができる。
【００３６】
代替的に、機械的シールは、ストラップ上に配置された少なくとも１つの保持バーブ（ｒｅｔａｉｎｉｎｇ  ｂａｒｂ）を備えることができ、ストラップはスプリットバージに取り付けることができる。ストラップはシートの自動閉止部分の周りに締め付けられ、封入された大量の物質が沈む際にバーブに係合することができる。ストラップは、ストラップがスプリットバージと沈降する封入された大量の物質との間で完全に引き延ばされるときに、弱連結又はその種の状態に壊れるか又は外れることができる。
【００３７】
１つ以上の実施形態において、化学的シールは接着剤を備える。科学的シールは、Ｄｕｏｔｅｃ（登録商標）として知られている接着剤を有するマッシュルームファスナとすることができる。接着剤は、シートの自動閉止部分の少なくとも内側表面に適用することができる。接着剤は、シートの両側の一方又は両方において、シートの外側表面に追加的に適用することができる。
【００３８】
１つ以上の実施形態において、シートは、シートをスプリットバージに取り付けるための少なくとも１つの取り付け要素をさらに備え、この取り付け要素は、大量の物質を封入する、沈降するシートの重量で解除されるように構成されている。
【００３９】
シートは、シートをスプリットバージに取り付け／スプリットバージから外すための取り付け及び取り外しシステムによってスプリットバージに取り付けることができる。取り付け及び取り外しシステムは対応する取り付け要素を備えることができ、取り付け要素は、大量の物質を封入する沈降するシートの重量で対応する取り付け要素から解除される。
【００４０】
取り付け要素は、シートを広げ、スプリットバージ上にシートを配置するため、及び／又はシートをスプリットバージに直接的に又は間接的に取り付けるために使用するのに好適なシートの上又は中のいずれの要素であってもよい。取り付け要素は、シートのエッジをスプリットバージの上端又は側部に取り付けるために使用することができる。
【００４１】
シートは、スプリットバージが開放した後、及びシート上の物質の重量がシートを水中に押すにつれてシートがセンターライン又はシートの中央点からシートの端部へ完全に引き延ばされる際に、スプリットバージから放出され得る。このことは、シートの端部の取り付けが、シートが水に進入し、それによって集合ポイントの形成及び自動閉止部分がより効果的になる際に、シートが十分に引き延ばされるのを容易にすることができるので、有利である場合がある。さらに、これは自動閉止コンセプトとともに、シートを予備閉止及び／又は予備シールするためのマンパワーに対する必要性無しに、封入された物質を投下するのを迅速かつ容易にする。
【００４２】
１つ以上の実施形態において、取り付け要素はストラップ及びスナップオフ要素を備える。対応する取り付け要素は、スプリットバージに直接的に又は間接的に取り付けられたフックとすることができる。フックは、従来の開及び／又は閉ロードベアリングフックとすることができる。
【００４３】
１つ以上の実施形態において、スナップオフ要素は、壊れるように構成されたストラップに沿った弱連結を備える。弱連結は、大量の物質を封入した沈降するシートの重量によって壊れることができる。
【００４４】
１つ以上の実施形態において、スナップオフ要素はスナップオフボタンを備える。スナップオフボタンは、ストラップの長さに沿って配置することができ、それによってストラップはスナップオフボタンが解除された際に２つの部分に分かれる。若しくは、スナップオフボタンは、ストラップの端部のうちの一方に配置することができる。
【００４５】
機械的及び／又は化学的シールをさらに取り付け要素として使用することができること、及び取り付け要素はさらに機械的及び／又は化学的シールとして使用することができることが、当業者には明白であろう。
【００４６】
１つ以上の実施形態において、取り付け要素及び／又は機械的シールは、磁石を備える。
【００４７】
１つ以上の磁石テープ及び／又は複数の磁石を、シートの自動閉止部分の上又は中に取り付けることができる。磁石は、スプリットバージを鋼で作ることができるので、シートをスプリットバージに取り外し可能に取り付けるために好適である場合があり、一方で磁石は好ましくはシートの少なくとも端部に配置される。磁石は、代替的に又は同時に、シートの自動閉止部分の自己シールを得るために好適である場合があり、一方で磁石は端部部分に配置することができるか、及び／又はそれらがシートの自動閉止部分を実質的に覆うように配置することができる。磁石は、スプリットバージを開放する前及び後の両方でシートをシールするために好適である場合がある。
【００４８】
代替的に、取り付け要素はスナップオフ要素無しにストラップを備えることができ、かつロープが解除機構を有するスナップ式フックを備えることができ、一方では、スナップ式フックは、ロープに一方の端部で固定することができ、かつ他方の端部でストラップに取り外し可能に取り付けることができる。放出機構は、大量の物質を封入する沈降するシートの重量に応じた所定の重量で、引張によって作動させる（ｔｒｉｃｋｅｄ）ことができる。
【００４９】
１つ以上の実施形態において、シートは分解性材料から成る。分解性材料のタイプの選択は、大量の物質が海底に沿っていつ広がるのを可能にされるかに基づいてよい。
【００５０】
分解性材料は、生分解性材料とすることができる。生分解性材料は、ジオテキスタイルに基づく繊維とすることができる。このジオテキスタイルに基づく繊維は、ココナツ繊維又は黄麻から作ることができる。ココナツ繊維は黄麻から成るジオテキスタイルは、完全な分解性シートのために理想的である場合がある。ジオテキスタイルは、水溶性バイオポリマ中で表面処理することができ、ジオテキスタイルが数年後に分解することを保証する。
【００５１】
１つ以上の実施形態において、シートは永久材料から成る。永久材料は、封入される物質が建築用ブロックとして使用される場合に使用することができる。永久材料は、ポリプロピレン及び／又はポリアセテートとすることができる。
【００５２】
シートは、封入された大量の物質が建築用ブロック、例えばダムのコア又はベース、岸壁、堤防の補強、突堤又は防波堤としての使用のための建築用ブロック、河川の河床又はその種のものの孔又は溝を充填するための建築用ブロックとして使用されるときには、永久材料から作ることができる。
【００５３】
１つ以上の実施形態において、シートの自動閉止部分は、残りのシートとは異なる材料から成る。自動閉止部分のために使用される材料は、残りのシートのために使用される材料より低い強度を有することができ、一方で残りのシートは少なくともシートの物質含有部分を含む。
【００５４】
１つ以上の実施形態において、シートは、上述のようにシートが大量の物質に接触するように構成された内側シートを構成するように、スプリットバージに取り付けられるように構成された外側シートを備えることができる。
【００５５】
外側シートは、一方の側でスプリットバージに、他方の側で内側シートに、直接接触するように構成することができ、内側シートは一方の側で外側シートに、他方の側で大量の物質に、直接接触するように構成することができる。すなわち、内側及び外側シートは、スプリットバージの内側表面に沿って配置することができる。外側シートに接触するように構成された内側シートの表面は、低摩擦表面を備える、すなわち滑りやすい。
【００５６】
外側シートは、スプリットバージに一方の端部で、外側シートに他方の端部で取り付けられた１つ以上のワイヤによって、外側シートの端部、又は端部の一部に沿ってスプリットバージに取り付けることができる。ワイヤは、スプリットバージ及び／又は外側シートにフックで止めることができる。
【００５７】
内側シート及び外側シートを備えるシートを使用する際に、大量の物質は、内側シート及び内側シートに直接接触する外側シートの両方の上／上方に配置することができる。スプリットバージが開放されるので、大量の物質がスプリットバージの下の水中に落ち着く。１つ以上のワイヤの長さによって決められたいくつかの点において、ワイヤは堅く締められて、内側シートを外側シートから滑り落とす。内側シートは海底に向かって沈降し続け、一方で外側シートはワイヤに吊り下がり、スプリットバージの中に引き戻し上げることができる。
【００５８】
内側シートの物質含有部分は、スプリットバージ中に配置される際に、例えばジグザグ状に折り畳まれる等、折り畳まれるように構成される。スプリットバージの内側表面に沿って配置された内側シートの折り畳み部分は、内側シートの拡張性の度合いを上げることができる。内側シートの提供された過剰な材料は、大量の物質の沈降中に開くことができる。内側シートの開かれた過剰な材料は、内側シートの自動閉止部分の拡張性を提供することができる。
【００５９】
外側シートは、スプリットバージが解放されたときにこのスプリットバージを通じて大量の物質が押し出される際に生じるシートの中及び／又は上のピーク力に耐えるように構成することができる。外側シートは、スプリットバージの中及び／上の鋭い又は荒い表面及び／又はエッジ、又はスプリットバージの中及び／上の他の凹凸によって破られないように保護するように構成されている。外側シートは、ＴｅｎＣａｔｅ（登録商標）シート又はその種のものとすることができる。内側シートは、海底に向かう下降中にシートにかかる力に耐えるように構成することができる。内側シートはそれによって、１つのシートだけを使用する際よりも低い強度を有する材料から作ることができる。
【００６０】
シートを製造するコストは、材料の強度への要求に関連する。内側シート及び外側シートを備えるシートの利点は、単一での使用のために構成することができる内側シートが、比較的低い材料強度を要し、それによって比較的低い製造コストを有する、ということである。より高い材料強度を必要とし、したがってより高い製造コストを要する外側シートは、再使用可能であってもよい。
【００６１】
ここにさらに開示されるのは、上述のようなシートによって大量の物質を封入する方法であり、この方法は、スプリットバージの中又は下にシートを配置するステップと、大量の物質でシート又はスプリットバージを充填するステップと、スプリットバージを開放するステップであって、それによって大量の物質の重量がシートを海底に向かって沈降させ始める、ステップと、大量の物質を封入し、それに続いて沈降するシートの周りに生じた水圧によってシートを集合ポイントに導くステップと、自動閉止部分の自動閉止を係合させるステップと、を備える。
【００６２】
スプリットバージを開放するステップは、シートが大量の物質の周りで閉止され、任意にシールされる前に行うことができる。
【００６３】
シートがスプリットバージに取り付け要素で取り付けられる場合には、取り付け要素を解除するステップを、スプリットバージを開放するステップと、大量の物質を封入するステップと、の間に行うことができる。
【００６４】
１つ以上の実施形態において、シートは機械的及び／又は化学的シールを備え、方法は、機械的及び／又は化学的シールを、自動閉止部分の自動閉止を係合させるステップと同時に行うステップを備える。
【００６５】
１つ以上の実施形態において、シートは外側シートを備え、それによってこのシートは上述のように内側シートを構成し、この方法は、外側シートをスプリットバージに回収するステップをさらに備える。
【００６６】
外側シートは、一方の端部でスプリットバージに、他方の端部で外側シートに取り付けられた１つ以上のワイヤによって、外側シートのエッジ又はエッジの一部に沿ってスプリットバージに取り付けることができる。ワイヤは、スプリットバージ及び／又は外側シートにフックで留めることができる。
【００６７】
外側シートは、この外側シートをスプリットバージの中に引き戻すことによって回収することができる。外側シートは、スプリットバージを閉止する前にスプリットバージの中に回収されるか、又は引き戻されてもよい。
【００６８】
ここにさらに開示されるのは、上述のようなシートによって、大量の物質を封入する方法であり、この方法は、シートをスプリットバージの中に配置するステップと、シートを大量の物質で充填するステップと、大量の物質を封入するステップと、機械的及び／又は化学的シールを行うステップと、スプリットバージを開放するステップと、海底に向かって沈降する封入された大量の物質を放出するステップと、を備える。
【００６９】
シートが取り付け要素によってスプリットバージに取り付けられる場合には、取り付け要素を解除するステップを、シートを充填するステップと大量の物質を封入するステップとの間に行うことができる。
【００７０】
この方法は、自動閉止効果が適切に作動するための正しい状態を有さない場合がある、非常に浅い深さに投下するときに特に有益である場合がある。
【００７１】
１つ以上の実施形態において、シートは外側シートを備え、それによって上述したようなシートが内側シートを構成し、この方法は外側シートをスプリットバージに回収するステップをさらに備える。
【００７２】
外側シートは、一方の端部でスプリットバージに取り付けられ他方の端部で外側シートに取り付けられた１つ以上のワイヤによって、外側シートのエッジ又はエッジの一部に沿ってスプリットバージに取り付けることができる。ワイヤは、スプリットバージ及び／又は外側シートにフックで留めることができる。
【００７３】
外側シートは、この外側シートをスプリットバージの中に引き戻すことによって回収することができる。外側シートは、スプリットバージを閉止する前にスプリットバージの中に回収されるか、又は引き戻されてもよい。
【００７４】
本発明の種々の実施形態が、添付の図面を参照して例示のみの方法によって以下に記載される。
【図面の簡単な説明】
【００７５】
【図１】自動閉止部分を有し、自動閉止コンセプトによって作動する、本発明によるシートの断面図である。
【図２】スプリットバージに配置された、本発明によるシートの断面図である。
【図３Ａ】本発明による、スプリットバージからのシートの解除を示す図である。
【図３Ｂ】本発明による、スプリットバージからのシートの解除を示す図である。
【図４】本発明によるシートをシールするための異なる実施形態の使用を示す図である。
【図５】内側シート及び外側シートを備える、本発明によるシートの断面図である。
【発明を実施するための形態】
【００７６】
図１は、自動閉止部分２２を有し、自動閉止コンセプトによって作動する、本発明によるシート１を示し、この自動閉止コンセプトは以下のように働く。
【００７７】
最初にシート１がスプリットバージ１００の上又は中に配置され、シートの物質含有部分４が大量の物質１０１で充填される。シートのセンターラインはスプリットバージのセンターライン１０６に略倣う。シートの物質の無い部分３は、（図示されない）支持要素によってスプリットバージのエッジに沿って保持される。現在図示されている実施形態において及び図２に示されているように、シートの物質含有部分はスプリットバージの内面１０３に沿って配置され、物質の無い部分はスプリットバージの外面１０４に沿って支持要素１０２によって保持される。別様に、シートはスプリットバージの外面に沿って配置することができる。物質の無い部分３は、ジグザグ状に折り畳むことができる。
【００７８】
次いで、スプリットバージ１００は開放され、大量の物質１０１の重量がシート１を水の中に押す。シートと大量の物質とが海底に向かって沈むにつれて、シートの周りの水圧が大量の物質を封入し、封入本体２０を形成するとともに、封入された大量の物質の沈降に続いて、物質の無い部分３を尾部中に集める。現在図示された実施形態において、尾部は集合ポイント２１を起点として水面に向かって延び、一方で尾部は集合ポイントから封入本体から離れて延びる自動閉止部分２２を構成する。
【００７９】
封入本体２０は、浸漬中に異なる形態に変わる場合があるので、浸漬中に集合ポイントが変化し、自動閉止部分の閉止長さが変化する場合がある。さらに、閉止長さ、すなわち集合ポイントからシートの反対側の少なくとも１つのエッジへの自動閉止部分の長さ、及びそれによる、シートの少なくとも２つの両側の集合ポイントの形成は、スプリットバージが解放され、大量の物質が長い閉止距離を伴って放出されるときにスプリットバージが適切には充填されない、又は半分しか充填されないので、大量の物質の密度並びに大量の物質の体積に同様に依存する。
【００８０】
図３Ａ及び３Ｂは、本発明による、スプリットバージ１００からのシート１の解除を示す。現在示されている実施形態において、取り付け要素５は、シートの物質の無い部分３のエッジ２に配置された磁石を備える。
【００８１】
スプリットバージ１００が開放され、シート１及び大量の物質（図示されず）が海底に向かって沈んだ後に、シートを、現在示している実施形態におけるように、スプリットバージの内側表面に沿って引くことができ（図１参照）、シートが完全に引き延ばされたときに取り付け要素５を解除する。
【００８２】
取り付け要素５は、スプリットバージ１００に、又はスプリットバージ若しくは支持要素１０２に配置された対応する取り付け要素１０５に、直接係合することができる。
【００８３】
図４は、本発明によるシート１に対する異なる実施形態の使用を示す。
【００８４】
シートは、シートの少なくとも自動閉止部分２２中に機械的シール１０又は化学的シールを備える。現在示されている実施形態では、シートがシートの内側表面１０３上にどのように面ファスナ１１及び／又はマッシュルームファスナ（ｍｕｓｈｒｏｏｍ  ｆａｓｔｅｎｅｒ）１２を備えることができるのかが示されている。
【００８５】
図５は、外側シート１ａを備える本発明によるシート１を図示しており、シート１は内側シート１ｂを構成している。現在示されている実施形態では、外側シートと内側シートの物質含有部分４とがスプリットバージ１００の内側表面１０３に沿って配置され、内側シートの物質の無い部分３がスプリットバージの外側表面１０４に沿って（図示しない）支持要素によって保持されている。物質の無い部分３は、ジグザグ様に折り畳むことができる。代替的に、外側シート及び／又は内側シートは、スプリットバージの外側表面に沿って配置することができる。１つ以上のワイヤ３０（点線によって示す）が、スプリットバージに一方の端部において取り付けられ、外側シートに他方の端部において取り付けられている。
【００８６】
自動閉止コンセプトは、スプリットバージ１００が開放され、大量の物質１０１の重量が外側シート１ａ及び内側シート１ｂを水中に押すときに、ワイヤ３０が締められ、内側シートを外側シートから外させることを伴って、上述のように働く。内側シートは引き続き海底に向かって沈降し、一方で外側シートは、外側シートがスプリットバージ上に引き上げられるまでワイヤに吊るされる。内側シート１ｂ及び大量の物質１０１が海底に向かって沈むので、シートの周りの水圧が大量の物質を封入して、（図示されない）封入本体を形成し、封入された大量の物質が沈降するにつれて、物質の無い部分３を尾部中に集める。
【符号の説明】
【００８７】
１                  シート
１ａ                外側シート
１ｂ                内側シート
３                  物質の無い部分
４                  物質含有部分
５                  取り付け要素
１１                表面ファスナ
１２                マッシュルームファスナ
２０                封入本体
２１                集合ポイント
２２                自動閉止部分
１００              スプリットバージ
１０１              大量の物質
【図１】
2018522777.tif 000003
【図２】
2018522777.tif 000004
【図３Ａ】
2018522777.tif 000005
【図３Ｂ】
2018522777.tif 000006
【図４】
2018522777.tif 000007
【図５】
2018522777.tif 000008
【国際調査報告】
2018522777.tif 000009
2018522777.tif 000010
2018522777.tif 000011